(57)【特許請求の範囲】
【請求項１】
光ネットワークで使用される光パワー制御システムであって、
前記光ネットワークには、
第１ノードと、
第２ノードと
が接続されており、
前記光ネットワークには、複数種類の波長の信号光にそれぞれ対応した複数種類のパスがあり、
前記光ネットワークには、新たなパスを設定するという指示内容のパス設定制御信号、または、既存の所定のパスを削除するという指示内容のパス削除制御信号が選択的に伝送され、
前記第１ノードは、
前記光ネットワークに伝送されている信号光を入力する入力手段と、
前記入力手段によって入力された信号光を増幅して前記第２ノードへ出力する光アンプと、
前記光アンプの出力を制御する光アンプ制御部と、
前記入力した信号光を波長で複数に分離する波長分離部と、
前記波長分離部によって複数に分離された複数種類の波長にそれぞれ対応する複数の光可変減衰器であって、対応する波長を持つ信号光の光パワーを減衰させる前記複数の光可変減衰器と、
前記複数の光可変減衰器のうち、対象の光可変減衰器の減衰量を調整する光可変減衰器制御部と
を備え、
前記第１ノードが前記パス設定制御信号を受信し、かつ、前記複数種類の波長の信号光のうちのいずれかを前記第１ノードが受信しているとき、
前記光アンプ制御部は、前記光アンプの出力を一定に制御し、
前記光可変減衰器制御部は、前記第１ノードが受信している波長の信号光に対応する前記光可変減衰器の減衰量を減少させ、
前記第１ノードが前記パス削除制御信号を受信し、かつ、前記複数種類の波長の信号光のうちのいずれかを前記第１ノードが受信しているとき、
前記光アンプ制御部は、前記光アンプの出力を一定に制御し、
前記光可変減衰器制御部は、前記第１ノードが受信している波長の信号光に対応する前記光可変減衰器の減衰量を増加させる
光パワー制御システム。
【請求項２】
前記複数種類のパスは、
低優先パスと、
前記低優先パスに伝送される信号光の波長と同一の波長を持つ信号が伝送される予備パスと
を含み、
前記複数種類の波長の信号光のうちのいずれかが前記低優先パスに伝送されている状態で前記低優先パスに障害が発生した場合、前記低優先パスが前記予備パスに切り替えられ、前記障害を通知する内容の障害信号が前記予備パスに伝送され、
前記第１ノードが前記障害信号を受信した上で、前記予備パスに伝送される信号光を前記第１ノードが受信している、又は、前記予備パスに伝送される信号光が前記第１ノード上を通過しているとき、
前記光アンプ制御部は、前記光アンプの出力を一定に制御し、
前記光可変減衰器制御部は、前記第１ノードが受信している波長の信号光に対応する前記光可変減衰器の減衰量を増加させる
請求項１に記載の光パワー制御システム。
【請求項３】
前記第１ノードは、
前記第１ノードを通過している信号光の波長数を定期的にモニタするモニタ部
を更に備え、
前記モニタ部によって前回モニタされた信号光の波長数が第１波長数であり、前記モニタ部によって今回モニタされた信号光の波長数が第２波長数であるとき、
前記光可変減衰器制御部は、前記第１波長数と前記第２波長数とを比較し、比較の結果、前記第２波長数が前記第１波長数よりも増加している場合、前記第１波長数から前記第２波長数までの増加分に応じて、対象の信号光の光パワーが増加するように、前記光可変減衰器の減衰量を増加させる
請求項２に記載の光パワー制御システム。
【請求項４】
前記モニタ部は、前記光アンプ制御部が前記光アンプの出力を一定に制御した際の信号光の波長数を記録波長数としてモニタしており、
前記光アンプ制御部は、前記記録波長数を記録し、前記記録波長数と前記第２波長数とを比較し、比較の結果、前記記録波長数が前記第２波長数と一致した場合、前記光アンプの出力を一定にする制御を解除する
請求項３に記載の光パワー制御システム。
【請求項５】
前記第１ノードの上流にある第３ノードを更に備え、
前記第１ノードの前記光アンプは、
前記第３ノードから出力された信号光を増幅して出力する上段光アンプと、
前記第３ノードから出力された信号光を増幅して前記第２ノードへ出力する下段光アンプと
を含む
請求項１から４のいずれか一項に記載の光パワー制御システム。
【請求項６】
光パワー制御システムで使用される光パワー制御ノード装置であって、
前記光パワー制御システムで使用される光ネットワークには、
第１ノードと、
第２ノードと
が接続されており、
前記光ネットワークには、複数種類の波長の信号光にそれぞれ対応した複数種類のパスがあり、
前記光ネットワークには、新たなパスを設定するという指示内容のパス設定制御信号、または、既存の所定のパスを削除するという指示内容のパス削除制御信号が選択的に伝送され、
前記光パワー制御ノード装置は、前記第１ノードに搭載されており、
前記光パワー制御ノード装置は、
前記光ネットワークに伝送されている信号光を入力する入力手段と、
前記入力手段によって入力された信号光を増幅して前記第２ノードへ出力する光アンプと、
前記光アンプの出力を制御する光アンプ制御部と、
前記入力した信号光を波長で複数に分離する波長分離部と、
前記波長分離部によって複数に分離された複数種類の波長にそれぞれ対応する複数の光可変減衰器であって、対応する波長を持つ信号光の光パワーを減衰させる前記複数の光可変減衰器と、
前記複数の光可変減衰器のうち、対象の光可変減衰器の減衰量を調整する光可変減衰器制御部と
を備え、
前記第１ノードが前記パス設定制御信号を受信し、かつ、前記複数種類の波長の信号光のうちのいずれかを前記第１ノードが受信しているとき、
前記光アンプ制御部は、前記光アンプの出力を一定に制御し、
前記光可変減衰器制御部は、前記第１ノードが受信している波長の信号光に対応する前記光可変減衰器の減衰量を減少させ、
前記第１ノードが前記パス削除制御信号を受信し、かつ、前記複数種類の波長の信号光のうちのいずれかを前記第１ノードが受信しているとき、
前記光アンプ制御部は、前記光アンプの出力を一定に制御し、
前記光可変減衰器制御部は、前記第１ノードが受信している波長の信号光に対応する前記光可変減衰器の減衰量を増加させる
光パワー制御ノード装置。
【請求項７】
光パワー制御システムで使用される光パワー制御方法であって、
前記光パワー制御システムで使用される光ネットワークには、
第１ノードと、
第２ノードと
が接続されており、
前記光ネットワークには、複数種類の波長の信号光にそれぞれ対応した複数種類のパスがあり、
前記光ネットワークには、新たなパスを設定するという指示内容のパス設定制御信号、または、既存の所定のパスを削除するという指示内容のパス削除制御信号が選択的に伝送され、
前記第１ノードは、
前記光ネットワークに伝送されている信号光を入力する入力手段と、
前記入力手段によって入力された信号光を増幅して前記第２ノードへ出力する光アンプと、
前記光アンプの出力を制御する光アンプ制御部と、
前記入力した信号光を波長で複数に分離する波長分離部と、
前記波長分離部によって複数に分離された複数種類の波長にそれぞれ対応する複数の光可変減衰器であって、対応する波長を持つ信号光の光パワーを減衰させる前記複数の光可変減衰器と、
前記複数の光可変減衰器のうち、対象の光可変減衰器の減衰量を調整する光可変減衰器制御部と
を備え、
前記光パワー制御方法は、
前記光可変減衰器制御部が、前記第１ノードが受信している波長の信号光に対応する前記光可変減衰器の減衰量を減少させるステップと、
前記第１ノードが前記パス削除制御信号を受信し、かつ、前記複数種類の波長の信号光のうちのいずれかを前記第１ノードが受信しているとき、
前記光アンプ制御部が、前記光アンプの出力を一定に制御するステップと、
前記光可変減衰器制御部が、前記第１ノードが受信している波長の信号光に対応する前記光可変減衰器の減衰量を増加させるステップと
を備える
光パワー制御方法。
【発明の詳細な説明】
【技術分野】
【０００１】
本発明は、フォトニックネットワークにおいて波長パスが設定されているノードの光パワー制御に関するものである。
【背景技術】
【０００２】
フォトニックネットワークにおいて、光アンプは光信号の伝送距離を伸ばすために重要なデバイスである。フォトニックネットワークではネットワークの大容量化のために複数の波長を使用するＷＤＭ（Ｗａｖｅｌｅｎｇｔｈ  Ｄｉｖｉｓｉｏｎ  Ｍｕｌｔｉｐｌｅｘｉｎｇ）伝送が一般的になっている。ＷＤＭ伝送において光アンプは複数の波長の信号を増幅することになる。ここで、ネットワーク上の波長パスの増減によって光アンプに入力される光パワーが変化することが考えられる。例えば、光アンプに入力される信号の波長数が減少した場合、光アンプに入力される光パワーが減少する。この場合、光アンプから出力される信号も入力信号に応じて減少させる必要がある。
【先行技術文献】
【特許文献】
【０００３】
【特許文献１】特開２００６−１６６４７８号公報
【発明の概要】
【０００４】
特許文献１に記載されている光アンプでは、ＡＬＣ（Ａｕｔｏｍａｔｉｃ  Ｌｅｖｅｌ  Ｃｏｎｔｒｏｌ）モードおよびＡＧＣ（Ａｕｔｏｍａｔｉｃ  Ｇａｉｎ  Ｃｏｎｔｒｏｌ）モードが存在する。ＡＬＣモードでは、ネットワーク上の制御信号から波長数増減の情報を受信することで、光アンプの出力信号を増減させる。しかしながら、光アンプの出力信号を増減させるためには数百ｍｓｅｃ程度の時間を要する。光アンプに入力される波長数が減少した場合でも、数百ｍｓｅｃの時間は光アンプから出力される信号に変化はない。したがって、波長パスあたりの信号パワーが一時的に増大してしまい、波長パスの受信側で正しくデータを受信できない可能性がある。
【０００５】
ＡＧＣモードでは、光アンプの入力信号が変動した場合、その変動に応じて励起光パワーが調整されることにより、一定の利得が保持されるように光アンプの出力信号が変化する。ＡＧＣモードでは、ＡＬＣモードと比較して高速に光アンプの出力信号を変化させることができる。しかし一般的に光アンプは多段に接続されているため、波長パスの受信側では正しくデータを受信できない時間が長くなる可能性がある。また、ＡＧＣモードではコストがかかるという問題がある。
【０００６】
簡易な手段によって、波長パスの増減があった場合でも受信側で正しくデータを受信できることが望まれる。
【０００７】
本発明の一側面における光パワー制御システムは、波長パスの設定を指令する制御信号が伝送されるネットワークにおいて使用される光パワー制御システムであって、前記ネットワークの或るノードが前記制御信号を受信した場合、前記或るノードが他のノードに送信する信号光を増幅する光アンプを出力一定制御にする光アンプ制御部と、前記或るノードが前記制御信号を受信して、且つ前記或るノードのいずれかの波長パス上に信号光が伝送している場合、前記いずれかの波長パス上の信号光の光パワーを減衰させる光可変減衰器の減衰量を調整する光可変減衰器制御部とを備える。
【０００８】
本発明の一側面における光パワー制御ノード装置は、波長パスの設定を指令する制御信号が伝送されるネットワークの或るノードにおいて使用される光パワー制御ノード装置であって、前記或るノードが前記制御信号を受信した場合、前記或るノードが他のノードに送信する信号光を増幅する光アンプを出力一定制御にする光アンプ制御部と、前記或るノードが前記制御信号を受信して、且つ前記或るノードのいずれかの波長パス上に信号光が伝送している場合、前記いずれかの波長パス上の信号光の光パワーを減衰させる光可変減衰器の減衰量を調整する光可変減衰器制御部とを備える。
【０００９】
本発明の一側面における光パワー制御方法は、波長パスの設定を指令する制御信号が伝送されるネットワーク上で、前記ネットワークの或るノードが前記制御信号を受信した場合、前記或るノードが他のノードに送信する信号光を増幅する光アンプを出力一定制御にする工程と、前記或るノードが前記制御信号を受信して、且つ前記或るノードのいずれかの波長パス上に信号光が伝送している場合、前記いずれかの波長パス上の信号光の光パワーを減衰させる光可変減衰器の減衰量を調整する工程とを有する。
【００１０】
本発明によれば、簡易な手段によって、波長パスの増減があった場合でも受信側で正しくデータを受信することが可能となる。
【図面の簡単な説明】
【００１１】
本発明の上記目的、他の目的、効果、及び特徴は、添付される図面と連携して実施の形態の記述から、より明らかになる。
【図１】図１は、ネットワーク図である。
【図２】図２は、ノードのブロック図である。
【図３】図３は、ノードがパス設定（削除）制御信号を受信した場合の動作を示すフローチャートである。
【図４】図４は、第２の実施形態におけるネットワーク図である。
【図５】図５は、第２の実施形態におけるノードのブロック図である。
【図６】図６は、ノードが障害通知信号を受信した場合の光アンプの動作を示すフローチャートである。
【図７】図７は、光アンプを出力一定制御から解除する動作を示すフローチャートである。
【図８】図８は、ノードが障害通知信号を受信した場合のＶＯＡの動作を示すフローチャートである。
【図９】図９は、ＶＯＡの値を初期値に戻す動作を示すフローチャートである。
【図１０】図１０は、第３の実施形態におけるノードのブロック図である。
【発明を実施するための形態】
【００１２】
［第１の実施形態］
以下、本発明の実施形態について添付図面を参照して詳細に説明する。まず第１の実施形態の構成例について説明する。図１は、本実施形態における光パワー制御システムが適用されるネットワークを示している。ネットワーク１−６内では複数のノード１−１〜１−３の間で波長パスが任意で設定されている。ネットワーク１−６には、波長パスの設定を指令する制御信号１−４が伝送される。制御信号は、例えば新たな波長パスの設定を指令する信号又は波長パスの削除を指令する信号である。新たな波長パス１−５が設定される場合は、パス設定制御信号が波長パスの設定される経路に伝送される。波長パスが削除される場合は、パス削除制御信号が波長パスの削除される経路に伝送される。
【００１３】
図２はノード１（図１のノード１−１〜１−３のうちの任意のノード）に配置される光パワー制御ノード装置のブロック図を示している。このような光パワー制御システム、光パワー制御ノード装置は、ネットワーク１−６中の任意の或るノードに適用することができる。ノード１は、データ信号のＡＤＤ／ＤＲＯＰを行うＡＤＤ／ＤＲＯＰ部１０１、光信号を増幅する光アンプ１０２、多重されている波長を分離する波長分離部１０３、各波長の光信号の減衰量を調節することができるＶＯＡ（Ｖａｒｉａｂｌｅ  Ｏｐｔｉｃａｌ  Ａｔｔｅｎｕａｔｏｒ、光可変減衰器）１０４、各波長の光信号を受信する受信部１０５、各波長の光信号を送信する送信部１０６、波長を多重する波長多重部１０７、制御信号のＡＤＤ／ＤＲＯＰを行う制御信号ＡＤＤ／ＤＲＯＰ部１１１、波長パスの情報を管理する波長パス管理部１１２、および制御信号の処理を行う制御部１１３で構成されている。制御部１１３は光アンプ制御部１１３−１とＶＯＡ制御部１１３−２とを備え、ＶＯＡ１０４および光アンプ１０２を制御できるように、それらと制御線で接続されている。図２で光アンプ１０２は１つであるが、ＡＤＤ／ＤＲＯＰ部１０１の前後に光アンプが２つある構成でもよい。
【００１４】
第１の実施形態の動作例について説明する。図３はノード１がパス設定（またはパス削除）制御信号を受信した場合の動作を示すフローチャートである。制御信号ＡＤＤ／ＤＲＯＰ部１１１を介して制御部１１３はパス設定（削除）制御信号を受信する（Ｓ１１１０）。制御信号受信後、光アンプ制御部１１３−１は光アンプ１０２の出力一定制御をするように光アンプ１０２に制御信号を送出する（Ｓ１１２０）。光アンプ１０２を出力一定制御にすることで、光アンプ１０２に入力される光信号のパワーに変化があった場合でも光アンプ１０２の出力パワーに変化はない。次に制御部１１３は波長パス管理部１１２を参照して自ノードが波長パスを受信しているか、すなわち、ある波長の光信号を伝送する波長パスを使用中であるかを確認する（Ｓ１１３０）。波長パスを受信していない場合（Ｓ１１３０／Ｎｏ）はそのまま動作が終了する（Ｓ１１３１）。波長パスを受信している場合（Ｓ１１３０／Ｙｅｓ）は、ＶＯＡ制御部１１３−２が、波長パスを受信している受信部１０５に接続されているＶＯＡ１０４に対してＶＯＡ１０４の値、すなわちＶＯＡ１０４の減衰量を調節する制御信号を送出する（Ｓ１１４０）。
【００１５】
ここで、パス設定制御信号を受信している場合、ＶＯＡ１０４の値を減少させる。すなわち、ＶＯＡ１０４によって減衰される信号光の減衰量を低下させる。このような動作によって、ネットワーク上の或るノードにおけるいずれかの波長パス上に信号光が伝送している場合、そのいずれかの波長パスの信号光の光パワーを減衰させる光可変減衰器の減衰量が調整される。新たに波長パスが設定されることによって光アンプ１０２に入力される信号が増加するが出力は一定であるため、波長１波あたりの信号増幅率は低下する。したがって、ＶＯＡ１０４を減少しておくことで波長パスが新たに設定された場合でも受信部が最適な光パワーで信号を受信することが可能となる。
【００１６】
一方、パス削除制御信号を受信している場合、ＶＯＡ１０４の値を増加させる。波長パスが削除されることによって光アンプ１０２に入力される信号が減少するが出力は一定であるため、波長１波あたりの信号増幅率は増加する。したがって、ＶＯＡ１０４を増加しておくことで波長パスが削除された場合でも受信部が最適な光パワーで信号を受信することが可能である。ＶＯＡ１０４の増減率は、波長１波あたりの信号増幅率から算出され、複数の波長パスが同時に設定および削除される場合には、波長パスの数に応じてＶＯＡ１０４の増減率が算出される。また、ＶＯＡ１０４の初期値は、受信部の最低受光パワーおよび最高受光パワーを考慮した上で設定される。
【００１７】
以上説明したように、第１の実施形態ではパス設定（削除）制御信号を受信した時点で光アンプ１０２を出力一定制御にしてＶＯＡ１０４の値を調節することで、もともと設定されている波長パスの受信側で最適なパワーで信号を受信することができる。したがって、受信側で正しくデータを受信することができる。特に、同時に大量のパスが設定（削除）される場合には、光アンプ１０２自身の動作では入力される光信号の大幅な変動への対応がさらに困難になると考えられるため、パス設定（削除）制御信号に基づいて光アンプ１０２を出力一定制御にしてＶＯＡ１０４の値を調節することの効果が大きいといえる。
【００１８】
［第２の実施形態］
第２の実施形態では、ネットワーク上でファイバ断やノード故障などの障害が発生した際の光パワー制御について説明する。第２の実施形態の構成例について説明する。本実施形態におけるネットワークにおいては、現用パスで障害が発生した際に予備パスに切り替えられる。その予備パス上には障害が発生する前に別の波長パスの信号が伝送されている。障害発生時には、その予備パス上に障害を通知する制御信号が伝送される。
【００１９】
図４は第２の実施形態におけるネットワーク図を示している。ネットワーク２−７は、複数のノード２−１〜２−３を備える。予備パス２−５は、現用パスに障害が発生した場合に使用される経路である。低優先パス２−６は現用パスに障害が発生していない場合に使用され、データが流れている。しかし、障害発生時には予備パス２−５がデータ伝送に使用されるので低優先パス２−６は停止される。障害通知信号２−４は、現用パスで障害が発生した際に予備パス２−５上に伝送される。
【００２０】
図５は第２の実施形態におけるノード２（図４のノード２−１〜２−３のうちの任意のノード）のブロック図を示している。図２との違いはＡＤＤ／ＤＲＯＰ部１０１と波長分離部１０３の間にモニタ部２０８があり、制御部２１３とモニタ部２０８は制御線で接続されていることである。モニタ部２０８はね当該ノードにおいて使用中である波長パスの波長数をモニタする。図５におけるＡＤＤ／ＤＲＯＰ部１０１内のＤＲＯＰ部分は、光カプラのような構成になっているため、モニタ部２０８では伝送路で使用されている波長数が確認できる。
【００２１】
第２の実施形態の動作例について説明する。本実施形態においては、光可変減衰器制御部は、或るノードが制御信号を受信して、且つ自ノードが別の波長パスの信号を送信しているか又は自ノード上を別の波長パスの信号が通過している場合、その別の波長パスの信号の光パワーを減衰させる光可変減衰器の減衰量を増加させる。以下に説明するように、本実施形態においては、光可変減衰器制御部は、モニタ部がモニタしている波長数が前回モニタした波長数と比較して増加している場合、その増加分に応じて光可変減衰器の減衰量を減少させる。
【００２２】
図６は各ノード２−１〜２−３が障害通知信号を受信した場合の光アンプ１０２の動作を示すフローチャートである。制御信号ＡＤＤ／ＤＲＯＰ部１１１を介して制御部２１３が障害通知信号を受信する（Ｓ２１１０）。障害通知信号は、障害を受けた現用パスごとに生成される。例えば、１０本の現用パスが同時に障害を受けた場合、障害通知信号は１０個生成される。
【００２３】
障害通知信号を受信後、自ノードが予備パスと同じ波長の低優先パスを送出しているか、または自ノード上を予備パスと同じ波長の低優先パスが通過しているか確認する（Ｓ２１２０）。具体的には、制御部２１３が波長パス管理部２１２を参照することで予備パスと同じ波長の低優先パスを送出しているか、または予備パスと同じ波長の低優先パスが通過しているか確認する。予備パスの波長は、障害通知信号に記載されている。
【００２４】
自ノードが予備パスと同じ波長の低優先パスを送出しているか、または自ノード上を予備パスと同じ波長の低優先パスが通過していない場合（Ｓ２１２０／Ｎｏ）は、動作が終了する（Ｓ２１２１）。自ノードが低優先パスを送出しているか、または自ノード上を低優先パスが通過している場合（Ｓ２１２０／Ｙｅｓ）は、制御部２１３は光アンプ１０２を出力一定制御済みか確認する（Ｓ２１３０）。
【００２５】
光アンプ１０２が出力一定制御済みである場合（Ｓ２１３０／Ｙｅｓ）は、動作が終了する（Ｓ２１３１）。光アンプ１０２が出力一定制御済みでない場合（Ｓ２１３０／Ｎｏ）は、光アンプ制御部２１３−１はモニタ部２０８に対して波長数のモニタを指示し、モニタした波長数を記録波長数として記録する（Ｓ２１４０）。光アンプ制御部２１３−１は、記録波長数を記録後、光アンプ１０２に対して出力一定制御にするように制御信号を送出する（Ｓ２１５０）。
【００２６】
障害が発生する場合では、低優先パスが停止して新たに予備パスにデータが流れることになるため、光アンプ１０２に入力される信号が減少して即座に増加することになる。したがって障害通知信号を受信した時点で自ノードが低優先パスを送出しているか、自ノード上を低優先パスが通過している場合は光アンプ１０２を出力一定制御にする。
【００２７】
図７は光アンプ１０２を出力一定制御から解除する動作を示すフローチャートである。制御部２１３がすべての障害通知信号を受信後に、制御部２１３はモニタ部２０８からモニタした波長数の情報を定期的に受信する（Ｓ２２１０）。その後、制御部２１３は、光アンプ１０２を出力一定制御にした際に記録した波長数がモニタした波長数と一致しているか確認する（Ｓ２２２０）。一致している場合（Ｓ２２２０／Ｙｅｓ）は、光アンプ制御部２１３−１は光アンプ１０２に対して出力一定制御を解除する制御信号を送出する（Ｓ２２３０）。一致していない場合（Ｓ２２２０／Ｎｏ）は、制御部２１３は波長数のモニタを繰り返す（Ｓ２２１０）。
【００２８】
光アンプ１０２を出力一定制御にした際に記録した波長数がモニタした波長数に一致しているということは、低優先パスが停止した経路に予備パスのデータが流れているということであるため、光アンプ１０２の出力一定制御は解除する。
【００２９】
図８は各ノード２−１〜２−３が障害通知信号を受信した場合のＶＯＡ１０４の動作を示すフローチャートである。この動作は図６の動作と並行して行われる。制御信号ＡＤＤ／ＤＲＯＰ部１１１を介して制御部２１３が障害通知信号を受信する（Ｓ２３１０）。障害通知信号を受信後、自ノードが予備パスと同じ波長の低優先パスを受信しているか、または自ノード上を予備パスと同じ波長の低優先パスが通過しているか確認する（Ｓ２３２０）。具体的には、図６の場合と同様で制御部２１３が波長パス管理部２１２を参照することで確認する。
【００３０】
自ノードが予備パスと同じ波長の低優先パスを受信しているか、または自ノード上を予備パスと同じ波長の低優先パスが通過していない場合（Ｓ２３２０／Ｎｏ）は、動作が終了する（Ｓ２３２１）。自ノードが予備パスと同じ波長の低優先パスを受信しているか、または自ノード上を予備パスと同じ波長の低優先パスが通過している場合（Ｓ２３２０／Ｙｅｓ）は、自ノードが波長パスを受信しているか確認する（Ｓ２３３０）。ここでは、制御部２１３が波長パス管理部２１２を参照することで確認を行う。
【００３１】
自ノードが波長パスを受信していない場合（Ｓ２３３０／Ｎｏ）は動作が終了する（Ｓ２３３１）。自ノードが波長パスを受信している場合（Ｓ２３３０／Ｙｅｓ）、ＶＯＡ制御部２１３−２が、波長パスを受信している受信部１０５に接続されているＶＯＡ１０４に対してＶＯＡ１０４の値を増加するように制御信号を送出する（Ｓ２３４０）。このＶＯＡ１０４の増加は、低優先パスが停止することにより波長パス１波あたりの信号増幅率が増加することに対応するためである。
【００３２】
図９はＶＯＡ１０４の値を初期値に戻す動作を示すフローチャートである。この動作は図７の動作と並行して行われる。制御部２１３がすべての障害通知信号を受信後に、制御部２１３はモニタ部２０８からモニタした波長数の情報を定期的に受信する（Ｓ２４１０）。受信後に、制御部２１３は前回モニタした波長数と比較して今回モニタした波長数が増加しているか確認する（Ｓ２４２０）。
【００３３】
波長数が増加している場合（Ｓ２４２０／Ｙｅｓ）、制御部２１３は波長パスを受信している受信部１０５に接続されているＶＯＡ１０４に対してＶＯＡ１０４の値を増加波長分に応じて減少させる（Ｓ２４３０）。ここで、１波増加で３ｄＢ減少させるとすると、２波増加で６（＝３×２）ｄＢ減少、３波増加で９（＝３×３）ｄＢ減少となる。このＶＯＡ１０４の減少は、低優先パスが停止して新たに予備パスにデータが流れることにより波長パス１波あたりの信号増幅率が減少することに対応するためである。
【００３４】
前回モニタした波長数と比較して今回モニタした波長数が増加していない場合（Ｓ２４２０／Ｎｏ）およびＶＯＡ１０４の値を減少（Ｓ２４３０）後、制御部２１３はＶＯＡ１０４の値が初期値と一致しているか確認する（Ｓ２４４０）。一致していれば（Ｓ２４４０／Ｙｅｓ）、動作が終了する（Ｓ２４５０）。一致していなければ（Ｓ２４４０／Ｎｏ）、制御部２１３は波長数のモニタを繰り返す（Ｓ２４１０）。
【００３５】
以上説明したように、第２の実施形態では障害発生により低優先パスが停止して予備パスのデータが流れることで光アンプ１０２に入力される信号の変化が急激になる。信号の変化が急激になる間は、光アンプ１０２を出力一定制御にして、ＶＯＡの値を増減させて調整することで波長パスの受信側が正しくデータを受信することができる。特に大量の低優先パスが停止して大量の予備パスが流れる場合、光アンプ１０２自身の動作では入力される光信号の大幅な変動への対応がさらに困難になると考えられるため、障害通知信号に基づいて光アンプ１０２を出力一定制御にしてＶＯＡの値を調節することの効果が大きいといえる。
【００３６】
［第３の実施形態］
第３の実施形態では、第２の実施形態と同様にネットワーク上でファイバ断やノード故障などの障害が発生した際の光パワー制御について説明する。ただし、第２の実施形態ではノード内には光アンプが１つであったが、第３の実施形態ではノード内の光アンプは２つであることを想定している。本実施形態においては、以下に説明するように、ネットワーク上の或るノードの光アンプが、上流ノード側からの信号光を増幅して出力する上段光アンプと、上段光アンプからの信号光を増幅して下流ノード側に出力する下段光アンプとからなる２段構成である。制御部３１３が備える光アンプ制御部３１３−１は、この２段のアンプが同じ制御モードとなるように同時に制御する。ＶＯＡ制御部３１３−２などの制御部３１３の他の動作は、第２実施形態と同様である。
【００３７】
第３の実施形態の構成例について説明する。ネットワーク図としては第２の実施形態における図４と同様である。図１０は第３の実施形態におけるノード３のブロック図を示す。図５との違いは、光プリアンプ３０９と光ポストアンプ３０２のように光アンプが２つ存在する。光プリアンプ３０９はＡＤＤ／ＤＲＯＰ部１０１の前、光ポストアンプ３０２はＡＤＤ／ＤＲＯＰ部１０１の後に配置されている。
【００３８】
第３の実施形態の動作例については、２つのアンプを１つのアンプとして同時に動作させるため、第２の実施形態の動作例と同様である。以上説明したように、光アンプが２つの場合でも光パワー制御が可能である。
【００３９】
以上、実施の形態を参照して本発明を説明したが、本発明は上記実施の形態に限定されるものではない。上記実施の形態に様々な変更を行うことが可能である。例えば、上記実施形態を互いに組み合わせることが可能である。
【００４０】
この出願は、２００９年１１月５日に日本国特許庁に提出された特願２００９−２５４１３５号を基礎とする優先権を主張し、その開示の全てをここに取り込む。
【図１】
0005712929.tif 000002
【図２】
0005712929.tif 000003
【図３】
0005712929.tif 000004
【図４】
0005712929.tif 000005
【図５】
0005712929.tif 000006
【図６】
0005712929.tif 000007
【図７】
0005712929.tif 000008
【図８】
0005712929.tif 000009
【図９】
0005712929.tif 000010
【図１０】
0005712929.tif 000011